(57)【要約】      （修正有）【課題】複数のポンプ装置と無線通信することができる管理装置を備えたポンプシステムにおいて、所望のポンプ装置との無線通信を適正にまたは容易に行うことができるポンプ装置、ポンプシステム、又は無線通信方法を提供する。【解決手段】ポンプにて建物に給水するためのポンプ装置１０Ａ〜１０Ｃは、複数のポンプ装置のそれぞれと無線通信９８ａできるように構成された管理装置９０と通信する通信部７３と、管理装置との無線通信を確立するための通信確立機構１１ｃと、を備え、通信確立機構に対する所定の操作をトリガにして、無線通信を確立するためのペアリングが開始される。【選択図】図６
2020070786.tif 000002
【特許請求の範囲】
【請求項１】
ポンプにて建物に給水するためのポンプ装置であって、
複数のポンプ装置のそれぞれと無線通信できるように構成された管理装置と通信する通信部と、
前記管理装置との前記無線通信を確立するための通信確立機構と、
を備え、
前記通信確立機構に対する所定の操作をトリガにして、前記無線通信を確立するためのペアリングが開始される、
ポンプ装置。
【請求項２】
前記通信確立機構は、前記ポンプ装置を構成する構成要素の少なくとも一部が収容される函体内に配置される、請求項１に記載のポンプ装置。
【請求項３】
前記通信確立機構はスイッチであり、
前記所定の操作は、ユーザーによる前記スイッチの操作である、
請求項１または２に記載のポンプ装置。
【請求項４】
前記ポンプ装置は、前記管理装置と前記無線通信よりも近距離の通信を対象とした近距離無線通信を行う第１の近距離無線通信部を備え、
前記通信確立機構は、前記第１の近距離無線通信部であり、
前記所定の操作は、ユーザーが前記管理装置を前記通信確立機構に近づけて前記第１の近距離無線通信を確立させる操作である、
請求項１から３の何れか１項に記載のポンプ装置。
【請求項５】
前記ポンプ装置は、前記第１の近距離無線通信部を通じて前記ペアリングのための信号を前記管理装置と通信する、請求項４に記載のポンプ装置。
【請求項６】
前記ポンプ装置は、外部端末と前記無線通信よりも近距離の通信を対象とした第２の近距離無線通信を行う近距離無線通信部を備え、
前記通信確立機構は、前記第２の近距離無線通信部であり、
前記所定の操作は、ユーザーが前記外部端末を前記通信確立機構に近づけて前記第２の近距離無線通信を確立させる操作である、
請求項１から５の何れか１項に記載のポンプ装置。
【請求項７】
前記通信確立機構は、第１の通信確立機構と、第２の通信確立機構と、を含み、
前記第１の通信確立機構を使用して前記無線通信が確立されたときには、前記無線通信を通じて前記管理装置から前記ポンプ装置に第１指令が可能となり、前記第２の通信確立機構を使用して前記無線通信が確立されたときには、前記無線通信を通じて前記管理装置から前記ポンプ装置へ前記第１指令よりも制限された第２指令が可能となる、
請求項１から６の何れか１項に記載のポンプ装置。
【請求項８】
前記第１指令は、前記ポンプの設定値情報の設定変更、前記ポンプの運転停止指令、及び警報リセットを含む指令であり、前記第２指令は、前記ポンプの設定値情報の設定変更、前記ポンプの運転停止指令、及び警報リセットの少なくとも１つが制限された指令である、請求項７に記載のポンプ装置。
【請求項９】
前記無線通信が確立されてから所定期間が経過するまでは、前記無線通信を通じて前記管理装置から前記ポンプ装置へ第３指令が可能であり、前記無線通信が確立されてから所定期間が経過した以降は、前記無線通信を通じて前記管理装置から前記ポンプ装置へ前記
第３指令よりも制限された第４指令が可能である、請求項１から８の何れか１項に記載のポンプ装置。
【請求項１０】
前記管理装置と前記ポンプ装置との距離が所定距離未満であるときには、前記無線通信を通じて前記管理装置から前記ポンプ装置へ第３指令が可能であり、前記管理装置と前記ポンプ装置との距離が前記所定距離以上であるときには、前記無線通信を通じて前記管理装置から前記ポンプ装置へ前記第３指令よりも制限された第４指令が可能である、請求項１から９の何れか１項に記載のポンプ装置。
【請求項１１】
前記第３指令は、前記ポンプの設定値情報の設定変更、前記ポンプの運転停止指令、及び警報リセットを含む指令であるか、又は前記ポンプの設定値情報の設定変更、前記ポンプの運転停止指令、及び警報リセットの少なくとも１つが制限された指令であり、前記第４指令は、前記ポンプの設定値情報の設定変更、前記ポンプの運転停止指令、及び警報リセットの少なくとも１つが制限された指令である、請求項９または１０に記載のポンプ装置。
【請求項１２】
前記無線通信が確立されてから所定の通信期間が経過したときには前記無線通信の確立をリセットする、請求項１から１１の何れか１項に記載のポンプ装置。
【請求項１３】
前記ポンプ装置は、外部入力によって設定変更できる第１設定値情報を有し、前記無線通信が確立されてから所定の期間が経過したときに前記無線通信の確立をリセットするか否かを前記第１設定値情報に基づいて判断する、請求項１から１１の何れか１項に記載のポンプ装置。
【請求項１４】
前記ポンプ装置は、ユーザーによって前記通信確立機構に対する前記所定の操作がなされたときに、前記管理装置へ前記ペアリングのための通信要請信号を送信することを特徴とする、請求項１から１３の何れか１項に記載のポンプ装置。
【請求項１５】
前記ポンプ装置は、前記通信要請信号を受信した前記管理装置から送信される認証情報を受信すると、前記認証情報を記憶すると共に前記認証情報を前記管理装置へ送信し、無線通信を確立する、請求項１４に記載のポンプ装置。
【請求項１６】
前記通信要請信号は、前記ポンプ装置に記憶された認証情報を含み、
前記ポンプ装置は、前記通信要請信号を受信した前記管理装置から送信された前記認証情報を受信したことを示す信号を前記管理装置へ送信する、
請求項１４に記載のポンプ装置。
【請求項１７】
前記認証情報は、前記ポンプ装置が前記通信要請信号を送信する際に作成されて前記ポンプ装置に記憶される情報である、請求項１６に記載のポンプ装置。
【請求項１８】
前記認証情報は、前記通信確立機構に対する前記所定の操作がなされたときの時刻情報に基づいて作成される、請求項１７に記載のポンプ装置。
【請求項１９】
前記認証情報は、予め定められて前記ポンプ装置に記憶される情報である、請求項１７に記載のポンプ装置。
【請求項２０】
前記認証情報は、前記ポンプ装置の製造時に付与される一意のシリアル番号に基づいて定められる情報である、請求項１９に記載のポンプ装置。
【請求項２１】
前記ポンプ装置は、前記認証情報を表示する表示部を有する、請求項１５から２０の何
れか１項に記載のポンプ装置。
【請求項２２】
前記通信確立機構はバーコードであり、
前記所定の操作は、前記管理装置での前記バーコードの読取り操作である、
請求項１から２１の何れか１項に記載のポンプ装置。
【請求項２３】
前記通信確立機構は、前記ポンプ装置を構成する構成要素の少なくとも一部が収容される函体内に配置され、前記函体には外部から前記バーコードを読み取り可能な透明の窓部が設けられる、請求項２２に記載のポンプ装置。
【請求項２４】
前記通信確立機構は、前記ポンプ装置を構成する構成要素の少なくとも一部が収容される函体内に配置されるとともに前記函体は窓部が設けられ、
前記第１の通信確立機構は前記窓部を介してアクセス不可とし、前記第２の通信確立機構のみ前記窓部を介してアクセス可能とする、
請求項７に記載のポンプ装置。
【請求項２５】
請求項１から２４の何れか１項に記載のポンプ装置と、
複数のポンプ装置のそれぞれと無線通信できるように構成された管理装置と、
を備えるポンプシステム。
【請求項２６】
ポンプにて建物に給水するためのポンプ装置における無線通信方法であって、
前記ポンプ装置は、複数のポンプ装置のそれぞれと無線通信できるように構成された管理装置と通信する通信部と、前記管理装置との前記無線通信を確立するための通信確立機構と、を備え、
前記無線通信方法は、前記通信確立機構に対する所定の操作をトリガにして、前記無線通信を確立するためのペアリングが開始されることを特徴とする、
無線通信方法。
【発明の詳細な説明】
【技術分野】
【０００１】
本発明は、ポンプ装置、ポンプシステム、及び無線通信方法に関する。
【背景技術】
【０００２】
ポンプ装置の一例である給水装置は、一般に建物等の機械室や建物のすぐ傍の屋外に設置され、建物等の給水対象に水道水を供給するために広く使用されている。給水装置としては、近年、携帯機器などの外部端末（管理装置）にて操作することができるものが提案されている。例えば、特許文献１に記載の装置では、赤外線を用いた通信手段をポンプ装置に設け、外部の管理装置から赤外線リモコンによってポンプ装置に指令を送信することができる。これにより、特許文献１のポンプ装置では、ポンプのカバーを開けることなく、ポンプ装置の運転設定と、ポンプ装置の情報を確認することができる。また、特許文献２には、ポンプ装置と通信装置とを備えた給水装置が記載されている。この給水装置では、ポンプ装置と通信装置とのそれぞれが通信部を備えることにより、ポンプ装置と通信装置とが給水装置の状態が目視できない場所からでも通信できることが記載されている。また、特許文献３には、外部装置と無線通信が可能な無線通信ボードがキャビネット内に収容される給水装置が開示されている。
【先行技術文献】
【特許文献】
【０００３】
【特許文献１】特開２００５−２０１０５１号公報
【特許文献２】特開２００９−５２５３２号公報
【特許文献３】特開２０１７−１５０４０３号公報
【発明の概要】
【発明が解決しようとする課題】
【０００４】
ところで、給水対象が大型の建物である場合には、複数の給水装置がひとつの機械室内に設けられ、複数の給水装置が協働して給水を行う場合がある。また、複数の建物が密集した団地など、建物の配置によっては、複数の給水装置が非常に近い距離に配置される場合がある。こうした場合には、管理装置を用いて複数の給水装置の何れかと無線通信をしようとすると、無線通信の距離範囲内に複数の給水装置が位置するために、管理装置は所望の給水装置を識別することが困難になるおそれがある。
【０００５】
また、給水装置はライフラインに関するものであり、また、道路に面した屋外に設置されることもあるため、意図しない外部装置からの不正なアクセスを防止することが望まれる。さらに、特許文献２のように、給水装置の状態が目視できない場所からでも通信できる管理装置は、誤操作や誤通信による不具合が危惧される。例えば、メンテナンス中に誤って運転指令がなされ漏水などの事故につながる虞や、誤操作や誤通信によって意図しない給水装置のポンプを停止し断水となる等である。
【０００６】
本発明は、上述した事情に鑑みてなされたもので、複数のポンプ装置と無線通信することができる管理装置を備えたポンプシステムにおいて、所望のポンプ装置との無線通信を適正にまたは容易に行うことができるポンプ装置、ポンプシステム、又は無線通信方法を提供することを目的の１つとする。
【課題を解決するための手段】
【０００７】
本発明の一形態によれば、ポンプにて建物に給水するためのポンプ装置が提案され、前記ポンプ装置は、複数のポンプ装置のそれぞれと無線通信できるように構成された管理装
置と通信する通信部と、前記管理装置との前記無線通信を確立するための通信確立機構と、を備え、前記通信確立機構に対する所定の操作をトリガにして、前記無線通信を確立するためのペアリングが開始される。かかる形態によれば、複数のポンプ装置のそれぞれと無線通信できるように構成された管理装置に対して無線通信を適正に行うことができる。
【０００８】
また、本発明の一形態によれば、上記したポンプ装置と、複数のポンプ装置のそれぞれと無線通信できるように構成された管理装置と、を備えるポンプシステムが提案される。かかる形態によれば、上記したポンプ装置と同様の効果を奏することができる。
【０００９】
また、本発明の別の一形態によれば、ポンプにて建物に給水するためのポンプ装置における無線通信方法が提案され、前記ポンプ装置は、複数のポンプ装置のそれぞれと無線通信できるように構成された管理装置と通信する通信部と、前記管理装置との前記無線通信を確立するための通信確立機構と、を備え、前記無線通信方法は、前記通信確立機構に対する所定の操作をトリガにして、前記無線通信を確立するためのペアリングが開始されることを特徴とする。かかる形態によれば、上記したポンプ装置と同様の効果を奏することができる。
【図面の簡単な説明】
【００１０】
【図１】本発明の実施形態に係る給水システムの構成の一例を示す図である。
【図２】実施形態に係る給水装置の構成の一例を示す図である。
【図３】給水装置と管理装置とが無線通信を確立する際の動作の一例を示す図である。
【図４】給水装置と管理装置とが無線通信を確立する際の動作の別の一例を示す図である。
【図５】給水装置と管理装置とが無線通信を確立する際の動作の更に別の一例を示す図である。
【図６】変形例１の給水システムの構成の一例を示す図である。
【図７】変形例１の給水装置と管理装置とが無線通信を確立する際の動作の一例を示す図である。
【図８】変形例２の給水システムの構成の一例を示す図である。
【図９】変形例３の給水システムの構成の一例を示す図である。
【発明を実施するための形態】
【００１１】
以下、本発明の実施形態について図面を参照して説明する。なお、図面では同一または相当する構成要素には同一の符号を付して、重複した説明を省略する。また、以下では、ポンプ装置およびポンプシステムの一例として、給水装置および給水システムについて説明するが、こうした例には限定されない。
【００１２】
図１は、本発明の実施形態に係る給水システムの構成の一例を示す図である。図示するように、給水システム１００は、ポンプにて建物に水を給水するための複数の給水装置１０Ａ〜１０Ｃ（以下、給水装置１０ともいう）と、給水装置１０における各種情報を管理するための管理装置９０と、を備えている。
【００１３】
本実施形態において、給水装置１０Ａ〜１０Ｃは同様の構成であり、以下では重複する説明を省略する。なお、給水装置１０Ａ〜１０Ｃは、互いに異なる構成であってもよい。また、図１では、３つの給水装置１０Ａ〜１０Ｃが示されているが、給水システム１００における給水装置１０は、管理装置９０と無線通信９８ａができればよく、給水システム１００が、２つ、又は４つ以上の給水装置を備えるものとしてもよい。また、本実施形態では、複数の給水装置１０は、例えば同じポンプ室内に配置されるなど、管理装置９０が発した無線通信９８ａの信号が同時に受信できる互いに近い場所に設けられるものとして説明するが、こうした例には限定されない。例えば、管理装置９０は、複数のビルやマン
ション等の建物を管理する管理者によって所有されてもよい。本実施形態の給水装置１０は、管理装置９０と無線通信９８ａを行う外部通信部７３と管理装置９０との通信を確立するためのペアリングスイッチ１１ａ、１１ｂを備えている。ペアリングスイッチ１１ａ、１１ｂの詳細については後述する。
【００１４】
本実施形態の管理装置９０は、給水装置１０とは別の装置であり、一例として複数の給水装置１０を管理する管理者やメンテナンスを行うメンテナンス員等にて所有され使用される。つまり、管理装置９０は、複数のポンプ装置１０Ａ，１０Ｂ，１０ＣのそれぞれとＮ対１の無線通信９８ａ（Ｎは、複数の給水装置１０の台数）ができるように構成されている。また、管理装置９０としては、ユーザーが持ち運び可能な端末が採用されてもよく、例えばスマートフォン、携帯電話、パソコン、タブレット等ＰＤＡ（Ｐｅｒｓｏｎａｌ
Ｄｉｇｉｔａｌ  Ａｓｓｉｓｔａｎｔ）に代表される汎用機器、または遠方監視器などの専用端末が採用されてもよい。図１に示すように、実施形態の管理装置９０は、演算部９２と、表示部の一例としての操作表示部９３と、通信部９４と、記憶部９５と、を備えている。なお、管理装置９０は、ＣＰＵ（Ｃｅｎｔｒａｌ Ｐｒｏｃｅｓｓｉｎｇ Ｕｎｉｔ）、メモリ等を備え、ソフトウェアを用いて所定の機能を実現するマイクロコンピュータにて構成されてもよいし、専用の演算処理を行うハードウェア回路にて構成されてもよい。また、管理装置９０は、単一の装置によって構成されるものに限定されず、一例として互いに離隔して設けられた複数の装置によって構成されてもよい。
【００１５】
演算部９２は、記憶部９５に格納されているプログラム及び各種データ等に基づいて、給水装置１０を管理するための各種データ（例えば特定情報）の設定、及び、演算等を行う。操作表示部９３は、ユーザーインターフェースとして機能し、記憶部９５に格納されている各種データを表示することができる。
【００１６】
通信部９４は、無線通信９８ａによって給水装置１０と通信可能なように構成されている。一例として、通信部９４は、Ｂｌｕｅｔｏｏｔｈ（登録商標）およびＷｉ−Ｆｉ（登録商標）など、任意の方式の無線通信９８ａを利用して給水装置１０と通信する。また、無線通信９８ａは、一例として、３ＭＨｚ〜３０ＭＨｚの短波（ＨＦ）帯の電波、又は３０ＭＨｚ〜３００Ｍｚの超短波（ＶＨＦ）帯の電波など、任意の周波数の電波が使用されてもよい。
【００１７】
記憶部９５には、管理装置９０を制御するための制御プログラムが記憶されている。また、記憶部９５には、複数の給水装置から無線通信９８ａにて取得した装置情報、給水装置の機種ごとのメンテナンス情報、ならびに、管理している給水装置ごとの運転関連情報、故障履歴、及びメンテナンス履歴などが格納される管理用データが記憶されている。記憶部９５としては、ＲＯＭ、ＨＤＤ、ＥＥＰＲＯＭ、ＦｅＲＡＭ、及び、フラッシュメモリ等の不揮発性メモリ、ＲＡＭ等の揮発性メモリが使用される。記憶部９５には、各種データ、例えば演算部９２における演算結果のデータ（異常情報、メンテナンス情報）、及び通信部９４を通じて入力される、または通信部９４を通じて出力されるデータ等が格納される。
【００１８】
管理装置９０は、無線通信９８ａを介して取得した給水装置１０の各種情報を外部に出力できるとよい。例えば、管理装置９０は公衆回線や任意のネットワーク等を介して、無線通信９８ａにて取得した情報を、管理者のサーバー等に送信できるとよい。また、管理装置９０は、当該情報をＵＳＢやメモリに出力できるとよい。
【００１９】
続いて、給水装置１０の具体的な構成について説明する。図２は、実施形態に係る給水装置の構成の一例を示す図である。給水装置は、戸建て、マンション、オフィスビル、商業施設、工場、又は、学校等の建物に水を供給するための装置として使用される。図２で
は、給水装置１０が直結給水方式で使用されており、給水装置１０の吸込口１０２は、導入管１０５を介して水道管（水道本管）１０４に接続されている。ただし、給水装置１０は、給水装置１０の上流側の図示しない受水槽を介して水道管１０４の水を供給する受水槽方式で使用されてもよい。給水装置１０の吐出口１０３には給水管１０７が接続されており、この給水管１０７は、各建物の給水栓（例えば蛇口１１０）に連通している。給水装置１０は、水道管１０４（または受水槽）からの水を増圧または加圧し、建物の各給水栓に水を供給する。
【００２０】
図２に示すように、本実施形態の給水装置１０は、水道管１０４（または受水槽）からの水を増圧または加圧する２台のモータポンプ４０と、モータポンプ４０の可変速制御器の一例であるインバータ装置５０と、モータポンプ４０を制御する制御部６０と、を備える。モータポンプ４０は、図示しない羽根車を有するポンプ４４と、ポンプ４４に動力を供給する電動機の一例であるモータ４２と、を有する。なお、本実施形態では、２台のモータポンプ４０が設けられるものとしたが、１台または３台以上のモータポンプが設けられてもよい。
【００２１】
ポンプ４４の上流側（吸込側）には、逆流防止装置２５が設けられている。本実施形態では、逆流防止装置２５は、給水装置１０の吸込口を画定する吸込管１０１に設けられており、給水装置１０から水道管１０４への水の逆流を防止する。逆流防止装置２５の上流側には、圧力センサ２１が設けられている。圧力センサ２１は、ポンプ４４の吸込圧力を測定するための圧力測定器である。
【００２２】
ポンプ４４の下流側（吐出し側）には、逆止弁２３と、フロースイッチ２４と、圧力センサ２６と、圧力タンク２８と、が設けられている。図１に示す例では、ポンプ４４、逆止弁２３、および、フロースイッチ２４が２組設けられ、これらは並列に設けられている。複数台のポンプ４４を設けることにより、一部のポンプ４４が運転不可となった場合には、運転可能な他のポンプ４４にて給水を継続し極力断水を避けるようになっている。
【００２３】
逆止弁２３は、ポンプ４４の吐出口に接続された吐出管３２に設けられており、ポンプ４４が停止したときの水の逆流を防止する。逆止弁２３の下流側（二次側）には、フロースイッチ２４が設けられている。フロースイッチ２４は、吐出管３２を流れる水の流量が所定の値にまで低下したこと、すなわち過少水量（小水量）を検出する流量検出器である。ただし、フロースイッチ２４は、吸込管１０１、又は吐出し管３２の合流管３３に１つのみ設けられてもよいし、なくてもよい。また、一端が吐出し口１０３を画定する合流管３３には、圧力センサ２６、及び圧力タンク２８が設けられている。圧力センサ２６は、ポンプ４４の吐出し圧力を測定するための圧力測定器である。圧力タンク２８は、ポンプ４４が停止している間の吐出し圧力を保持するための圧力保持器である。
【００２４】
インバータ装置５０は、制御部６０からの制御指令に基づいてモータ４２を可変速制御する。一例として、インバータ装置５０は、ポンプ４４の目標回転速度に基づいて指令周波数を算出（例えばＰＩＤ制御等）し、この指令周波数とモータ４２の実際の周波数との差分を最小とするためのＰＷＭ信号を生成する。
【００２５】
給水装置１０の制御部６０は、給水装置１０を制御するために設けられている。本実施形態の制御部６０は、記憶部（制御用メモリ）６６と、演算部６７と、Ｉ／Ｏ部６８と、外部通信部７３と、を備えている。また、運転パネル７０を備えていてもよい。
【００２６】
制御部６０の記憶部６６としては、ＲＯＭ、ＨＤＤ、ＥＥＰＲＯＭ、ＦｅＲＡＭ、及び、フラッシュメモリ等の不揮発性メモリ、ＲＡＭ等の揮発性メモリが使用される。記憶部６６には、給水装置１０を制御するための制御プログラム、装置情報、設定値情報、履歴
情報、運転情報、及び異常情報など、給水装置１０に関する各種情報が記憶される。
【００２７】
装置情報は、ポンプ４４の台数、ポンプ４４の口径、給水量、全揚程、締切揚程、モータ４２のモータ出力容量、給水方式（例えば直結給水方式、受水槽方式など）、インバータ装置５０の台数、および、ポンプ装置１０の機種を示すポンプ装置機種識別情報（例えば機名、型番、製造時に付与される一意のシリアル番号など）を含む。
【００２８】
設定値情報は、主に給水装置１０の使用環境、装置構成、および、給水方式等によって値が変更される情報であり、作業者が外部入力によって変更可能な情報である。なお、本実施形態では、設定値情報は、設定部７１、外部通信部７３、またはＩ／Ｏ部６８（図示しない外部入力端子）を通じた入力により設定可能である。本実施形態では、設定部７１を通じた入力と、外部通信部７３を通じた入力と、Ｉ/Ｏ部６８の外部入力端子に入力された信号とを、「外部入力」という。なお、装置情報も外部入力により変更可能としてもよい。
【００２９】
異常情報は、給水装置１０における異常に関する情報である。異常情報は、現在検出中の異常を含む各種警報（インバータトリップ、吐出し圧力異常低下、各種センサ異常等）および異常（流入圧低下または受水槽の満水渇水減水等）に関する情報等を含む。また、異常情報は、インバータ装置５０における交換またはメンテナンスを促すための情報などを含むとよい。
【００３０】
履歴情報は、給水装置の各種履歴に関する情報である。履歴情報は、モータポンプ４０の積算運転時間並びに積算運転回数、給水装置１０にける警報履歴、各種通信の履歴、各種操作履歴等を含むとよい。
【００３１】
運転情報は、給水装置１０における現在の状態を示す情報であり、一定の周期（数１０ｍＳＥＣから数秒の間隔）にて更新される。運転情報は、現在のモータポンプ４０のそれぞれの運転または停止状態、モータポンプ４０の回転速度、モータポンプ４０を駆動するモータに流れる電流値、給水装置１０の入力電圧、モータポンプ４０の吸込圧力、モータポンプ４０の吐出し圧力、および、目標圧ＳＶ等を含む。また、Ｉ／Ｏ部６８に入力される各種センサ類の値や出力信号等を含んでもよい。
【００３２】
制御部６０の演算部６７としては、例えばＣＰＵが使用される。演算部６７は、記憶部６６に格納されている制御プログラム及び各種データ、並びにＩ／Ｏ部６８から入力される信号に基づいて、給水装置１０を構成する各機器を制御するための演算等を行う。また、演算部６７は、外部通信部７３並びにＩ／Ｏ部６８等における通信制御や運転パネル７０における表示や操作の制御を行う。演算部６７における演算結果は、記憶部６６に記憶されるとともに、Ｉ／Ｏ部６８、外部通信部７３に出力される。
【００３３】
Ｉ／Ｏ部６８としては、ポート等が使用される。Ｉ／Ｏ部６８は、図示しない各種センサからの検出信号等を受け入れて演算部６７に送る。また、Ｉ／Ｏ部６８は、ＲＳ４２２，ＲＳ２３２Ｃ，ＲＳ４８５等シリアル通信やＥｔｈｅｒｎｅｔ等のパケット通信等の有線もしくは無線等の通信により各インバータ装置５０と互いに接続されている。インバータ装置５０は、Ｍｏｄｂｕｓ、またはＴＣＰ／ＩＰ、又はメーカー特有の通信プロトコルなどのメーカー毎に共通した通信プロトコルを用いて制御部６０と通信可能に構成されている。
【００３４】
運転パネル７０は、記憶部６６に記憶される各種データを、演算部６７を介して表示ならびに変更することができるＧＵＩ（Ｇｒａｐｈｉｃａｌ  Ｕｓｅｒ  Ｉｎｔｅｒｆａｃｅ）である。具体的には、運転パネル７０は、装置情報および設定値情報の表示および設
定変更、異常情報の表示およびリセット、並びに、運転情報の表示等を行う。本実施形態の運転パネル７０は、設定部７１と表示部７２を備える。なお、制御部６０と運転パネル７０は別々の基板としてもよい。この場合、制御部６０と運転パネル７０とは、シリアル通信もしくは信号線等の有線、または無線にて接続されるとよい。また、運転パネル７０は、ＣＰＵを備えて該ＣＰＵにて表示操作の制御をしたり、制御部６０および外部装置との通信制御を行ったりしてもよい。また、運転パネル７０は、警告音や操作音を鳴らすためのブザー（不図示）を備えてもよい。
【００３５】
運転パネル７０の設定部７１は、制御部６０の情報入力部であって、ユーザーの外部操作により給水装置１０における自動給水の運転/停止、警報リセット、及び、各種データの設定変更等の各種入力操作を行うために使用される。設定部７１は、不図示の操作ボタンまたはタッチパネル等を備えるとよい。設定部７１を通じて外部操作によって入力された情報は記憶部６６に記憶される。
【００３６】
また、給水装置１０には管理装置９０との無線通信９８ａを確立するための通信確立機構としてのペアリングスイッチ１１ａ（第２の通信確立機構）、及びペアリングスイッチ１１ｂ（第１の通信確立機構）が設けられている。一実施形態として、ペアリングスイッチ１１ａ、１１ｂは設定部７１に備えられる。本実施形態では、ペアリングスイッチ１１ａは、建物の住人または建物の管理人等の管理装置９０の一部の機能を使用することが制限された権限のユーザー（以下、「一般ユーザー」ともいう）用に設けられており、ペアリングスイッチ１１ｂは、技術者またはメンテナンス員等の管理装置９０の全ての機能を使用する権限のあるユーザー（以下、「特別ユーザー」ともいう）用に設けられている。
【００３７】
特別ユーザー用のペアリングスイッチ１１ｂは、給水装置１０に対して所定の操作または所定の認証を行うことにより所定の保護モードが解除されているときに操作できるように構成されるとよい。なお、ペアリングスイッチ１１ａ、１１ｂは、表示部７２のタッチパネル式の画面上に現れる仮想的なスイッチとしてもよいし、ボタン等の機械的なスイッチとしてもよい。なお、ペアリングスイッチ１１ａ、１１ｂは、物理的に区別されるものに限定されず、例えば単一のペアリングスイッチが設けられ、所定の保護モードが機能しているときにはペアリングスイッチ１１ａとして機能し、所定の保護モードが解除されているときにはペアリングスイッチ１１ｂとして機能するように構成されてもよい。ユーザーによってペアリングスイッチ１１ａ、１１ｂが操作されると、それをトリガとして、給水装置１０から通信要請信号が送信されて給水装置１０と管理装置９０とのペアリングが開始される。ペアリングの詳細については後述する。また、ペアリングスイッチ１１ｂは、一般ユーザーによる誤操作を防止するため、給水装置１０の正面から視認できないところに設けられてもよい。例えば、ペアリングスイッチ１１ｂは、ペアリングスイッチ１１ａとは別の場所、つまり、運転パネル７０を避けた制御部６０の基板上や制御盤内に設けられてもよい。
【００３８】
運転パネル７０の表示部７２は、ユーザーインターフェースとして機能し、記憶部６６に格納されている各種データを表示できるように構成されている。給水装置１０が機械室またはポンプ室などの電気的なノイズの多い環境に設置される場合に備えて、表示部７２として、液晶表示およびタッチパネルよりも電気的ノイズに強い７セグメントＬＥＤまたは表示灯、並びに、機械的な押圧ボタンなどにて構成された表示器が使用されてもよい。これにより、給水装置１０を電気的ノイズの多い環境下にも設置することができる。ただし、表示部７２としては、電気的ノイズに強い表示器に限定されず、ドットマトリクス方式による液晶表示器などが使用されてもよい。
【００３９】
外部通信部７３は、有線通信または無線通信である通信９９によって外部端末８０と通信可能なように構成されている。外部通信部７３における通信９９の無線通信としては、
例えば近距離無線通信（ＮＦＣ：Near  Field  Communication）の技術を利用することができる。また、Ｂｌｕｅｔｏｏｔｈ（登録商標）およびＷｉ−Ｆｉなど、任意の方式の無線通信を利用することができる。ここで、ＮＦＣは、制御部６０と外部端末８０とを近づけるだけで通信９９を完了させることができる点で有利である。また、通信９９の有線通信としては、例えば制御部６０にＵＳＢ（Universal  Serial  Bus）のような外部接続端子が設けられ、ここに外部端末８０が接続されることによって通信がなされてもよいし、ＲＳ４２２，ＲＳ２３２Ｃ，ＲＳ４８５等のシリアル通信を用いてもよい。なお、外部端末８０としては、例えばスマートフォン、携帯電話、パソコン、タブレット等のＰＤＡに代表される汎用機器、または遠方監視器などの専用端末が採用されてもよい。
【００４０】
外部通信部７３は、更に、無線通信９８ａによって管理装置９０の通信部９４と通信可能なように構成されている。一例として、無線通信９８ａとしてＢｌｕｅｔｏｏｔｈ（登録商標）およびＷｉ−Ｆｉなど、任意の方式の無線通信を利用してもよい。また、無線通信９８ａは、一例として、３ＭＨｚ〜３０ＭＨｚの短波（ＨＦ）帯の電波、又は３０ＭＨｚ〜３００Ｍｚの超短波（ＶＨＦ）帯の電波など、任意の周波数の電波が使用されてもよい。
【００４１】
なお、制御部６０に運転パネル７０または表示部７２が設けられずに、外部通信部７３を通じて外部表示器８０または管理装置９０にて運転パネル７０または表示部７２の機能を実施するものとしてもよい。給水装置１０には表示器自体を設ける必要がなくなるので、給水装置１０全体のコストを下げることが可能である。この場合でも、ペアリングスイッチ１１ａ、１１ｂは給水装置１０に設けられる。また、ペアリングスイッチ１１ａ、１１ｂは制御部に配置されることが好ましい。
【００４２】
以上説明した給水装置１０を構成する各構成要素の少なくとも一部は、キャビネットや屋外カバー等の函体３０内に収容される。函体３０には窓部３０ａが設けられ、操作者は当該窓部３０ａを介してペアリングスイッチ１１ａ、１１ｂにアクセスできるとよい。なお、函体３０を備えていないタイプの給水装置もある。
【００４３】
こうした給水装置１０では、制御部６０によって以下の自動給水（ポンプ４４の自動運転制御）が行われる。制御部６０内のポンプ４４が停止している状態で吐出し圧力が所定の始動圧力以下に至ると、制御部６０はポンプ４４の始動条件が成立したものと判断して、ポンプ４４のうち少なくとも１台を所定の始動回転速度で始動させる。なお、ポンプ４４の始動条件は、吐出し圧力が始動圧力Ｐｓｔａｒｔ以下に至ることに代えて、または加えて予め定められた種々の条件が用いられてもよい。ポンプ４４の運転中、制御部６０は設定された圧力（設定圧）により既知の推定末端圧力一定制御または目標圧力一定制御などのポンプ４４の回転速度制御を行う。具体的に、制御部６０は推定末端圧力一定制御の場合はポンプ４４の回転速度と目標圧力制御カーブとを用いて目標圧（ＳＶ）を設定し、目標圧力一定制御の場合は設定圧を目標圧（ＳＶ）とする。また、吐出し圧力を現在圧（ＰＶ）とする。そして、制御部６０は、ＳＶとＰＶの差に基づいて、比例ゲインＧｐ、及び、積分ゲインＧｉを用いたＰＩ演算、もしくは、比例ゲインＧｐ、積分ゲインＧｉ、及び、微分ゲインＧｄを用いたＰＩＤ演算を行い、ポンプ４４の回転速度を算出する。また、制御部６０は、本実施形態のようにポンプ４４が複数台ある場合は、同時に起動可能なポンプ台数（ポンプ並列運転台数）にて水量に応じたポンプの台数制御も行う。
【００４４】
ポンプ４４にて給水中に建物での水の使用が少なくなると、フロースイッチ２４は、過少水量を検出し、その検出信号を制御部６０に送る（小水量状態）。制御部６０はこの検出信号を受け、吐出し圧力が所定の停止圧力に達するまでポンプ４４の回転速度を増加させ圧力タンク２８に蓄圧した後、ポンプ４４を停止（小水量停止）させる。ポンプ４４が小水量停止した後に、再び建物内で水が使用されると吐出し圧力が始動圧力以下まで低下
しポンプ４４が始動する（小停再始動）。なお、本実施形態のようにポンプ４４が複数台ある場合には、始動するポンプ４４をローテーションさせ、ポンプ４４内に水が滞留するのを防ぐことが好ましい。また、小水量を検知する方法としては、フロースイッチ２４を用いずに、モータ４２の電流値による低負荷や締切り圧力等その他の手段を用いてもよい。
【００４５】
次に、給水システム１００における給水装置１０と管理装置９０との無線通信９８ａについて説明する。本実施形態では、図１に示すように、管理装置９０は、３台の給水装置１０Ａ，１０Ｂ，１０Ｃと１対３の無線通信９８ａが可能なように構成されている。このため、給水装置１０と管理装置９０とが１対１で通信する従来の給水装置１０では、管理装置９０による無線通信９８ａの距離範囲内に複数の給水装置１０Ａ、１０Ｂ、１０Ｃが位置すると管理装置９０が送信した信号を給水装置１０Ａ、１０Ｂ、１０Ｃが受信できてしまい、管理装置９０が給水装置１０Ａ、１０Ｂ、１０Ｃのうちの何れかと通信しようとしているのか識別できない。ここで、給水装置１０は、ライフラインに関するものであり、例えば、断水を避けるために、給水装置１０Ａ、１０Ｂにて給水を継続しながら給水装置１０Ｃのポンプ４４を停止した状態でメンテナンスを行うことがある。そこで、管理装置９０が誤って給水中の給水装置１０Ａ、１０Ｂにポンプ４４の停止指令をしたり、メンテナンス中の給水装置１０Ｃに運転指令を送信するなどの意図しないアクセスを防止することが望まれる。このため、本実施形態では、複数の給水装置１０Ａ、１０Ｂ、１０Ｃと管理装置９０とがそれぞれの無線通信９８ａを確実に確立するために、互いの認証（以下、「ペアリング）ともいう）を行う。
【００４６】
図３は、給水装置１０と管理装置９０とが無線通信９８ａを確立する際の動作の一例を示す図である。以下、説明のため、給水装置１０Ａと管理装置９０とが無線通信９８ａを確立させるが、給水装置１０Ｂまたは１０Ｃと管理装置９０とが無線通信９８ａを確立させる場合も同様である。給水装置１０Ａと管理装置９０との無線通信９８ａを確立する際には、まずユーザーが、給水装置１０Ａに設けられたペアリングスイッチ１１ａ、１１ｂを操作する（ＳＵ０１）。具体的には、一例として、ペアリングスイッチ１１ａ、１１ｂがボタンであれば押下する。ここで、建物の住人または建物の管理者などの不特定の一般ユーザーはペアリングスイッチ１１ａを操作でき、技術者またはメンテナンス員等の特別ユーザーは、例えば、パスワードの入力や長押し等の特殊な操作等にて、ペアリングスイッチ１１ｂを操作できる。ペアリングスイッチ１１ａ又はペアリングスイッチ１１ｂの操作をトリガにして、給水装置１０Ａが管理装置９０へ通信要請信号を送信する（ＳＷ０２）ことでペアリングを開始する。このときには、給水装置１０Ａは、通信要請信号と共に、ペアリングスイッチ１１ａ、１１ｂの何れが操作されたのかを示す情報を管理装置９０へと送信するとよい。一例として、ＳＷ０２にて送信する通信要請信号は、給水システム１００の全ての給水装置１０Ａ、１０Ｂ、１０Ｃにおいて共通の情報である。なお、管理装置９０は常時通信要請信号の送信し、ペアリングスイッチ１１ａ、１１ｂの操作をトリガにして、給水装置１０Ａが管理装置９０からの通信要請信号を受信することでペアリングを開始するとよい。ただし、ペアリングスイッチ１１ａ、１１ｂが操作された給水装置１０が管理装置９０へ通信要請信号を送信（ＳＷ０２）してペアリングが開始されれば、例えば、操作ミスにて複数の給水装置１０でペアリングスイッチ１１ａ、１１ｂの押下が重なった場合でも、管理装置９０は、正しい認証情報を作成し、対象の給水装置１０へと送信できる。
【００４７】
管理装置９０は、無線通信９８ａが確立されていない給水装置１０からの通信要請信号を受信する待機状態を有する。管理装置９０は、管理装置９０の起動時に常に待機状態であるように構成されてもよいし、例えば管理装置９０に設けられたスイッチを操作されることにより管理装置９０が待機状態となってもよい。なお、スイッチ等を操作することにより管理装置９０を待機状態とする場合には、給水装置１０のペアリングスイッチ１１ａ
、１１ｂを操作する前に管理装置９０を待機状態にすることが好ましい。こうすれば、給水装置１０から通信要請信号を発信する時間を短くすることができる。また、管理装置９０は、通信が確立されている給水装置１０がない場合は常時待機状態とし、既に無線通信９８ａが確立されている給水装置１０がある場合は、無線通信９８ａを行いつつ、任意のタイミングにて待機状態とするとよい。これにより、管理装置９０は、複数の給水装置１０と同時に無線通信９８ａを行うことができる。ただし、こうした例に限定されず、管理装置９０は、ペアリングスイッチ１１ａ、１１ｂが操作された後に待機状態とされてもよい。
【００４８】
管理装置９０は、通信要請信号を受信すると、ペアリングのための認証情報を作成して自身の記憶部９５に認証情報を記憶し（ＳＡ０３）、認証情報を給水装置１０Ａへ送信する（ＳＡ０４）。この認証情報は、通信要請信号を送信した給水装置１０Ａを、給水装置１０Ｂ、１０Ｃとは異なる一意の通信先と識別して、以降の無線通信９８ａにおいて互いを認証するために使用される情報である。認証情報は、こうした利用に適した情報であればよく、種々の方法によって管理装置９０において定められればよい。また、管理装置９０は、認証情報を作成して給水装置１０と通信する場合には、操作表示部９３に認証情報を表示してもよい。
【００４９】
給水装置１０Ａは、管理装置９０から認証情報を受信すると、受信した認証情報を記憶部６６に記憶する（ＳＷ０５）。ここで、本実施形態では、管理装置９０は複数の給水装置１０Ａ、１０Ｂ，１０Ｃと通信することができるように構成され、管理装置９０から送信された給水装置１０Ａを識別するための認証情報を複数の給水装置１０Ｂ，１０Ｃが受信できる。このため、ペアリングスイッチ１１ａ、１１ｂが操作された給水装置１０Ａは、当該操作から所定期間以内（例えば数秒など）に管理装置９０から認証情報が受信された場合に、認証情報を記憶部６６に記憶するものとし、ペアリングスイッチ１１ａ、１１ｂが操作されていない給水装置１０Ｂ，１０Ｃは、受信した認証情報を破棄するとよい。
【００５０】
また、給水装置１０Ａは、ペアリングスイッチ１１ａ、１１ｂが操作されてから所定期間以上管理装置９０から認証情報が送信されてこない場合には、表示部７２などでエラーを表示してもよい。なお、給水装置１０Ａは、受信した認証情報を表示部７２で表示してもよい。このように、給水装置１０の表示部７２および管理装置９０の操作表示部９３のそれぞれで認証情報が表示されることにより、管理装置９０がどの給水装置１０と無線通信９８ａをしているのかをユーザーが確認できる。
【００５１】
そして、給水装置１０Ａは、受信した認証情報を記憶すると、管理装置９０へ受信通知信号（アクノリッジ信号）と当該受信した認証情報とを送信する（ＳＷ０６）。なお、ペアリングスイッチ１１ａ、１１ｂが操作されていない給水装置１０Ｂ，１０Ｃは、管理装置９０からのＳＡ０４の送信は無視する。
【００５２】
管理装置９０は、給水装置１０Ａから受信通知信号と認証情報とを受信すると、給水装置１０へ認証通知信号を送信し（ＳＡ０７）、これにより給水装置１０Ａおよび管理装置９０とは互いにペアリングが完了したと判断して無線通信９８ａが確立される。なお、管理装置９０は、給水装置１０Ａから誤った認証情報が受信された場合や、所定時間以上給水装置１０Ａから受信通知信号が受信されない場合には、無線通信９８ａを確立することができないと判断し、操作表示部９３などで認証エラーを表示してもよい。また、以降の給水装置１０Ａと管理装置９０との無線通信９８ａでは認証情報を用いてなされるとよい。
【００５３】
ここで、ＳＵ０１で一般ユーザー用のペアリングスイッチ１１ａが使用されて給水装置１０と管理装置９０との無線通信９８ａが確立されたときには、無線通信９８ａを通じて
管理装置９０から給水装置１０へ一般ユーザー用の指令（第２指令）が可能とされるとよい。また、ＳＵ０１で特別ユーザー用のペアリングスイッチ１１ｂが使用されて給水装置１０と管理装置９０との無線通信９８ａが確立されたときには、無線通信９８ａを使用して管理装置９０から給水装置１０へ特別ユーザー用の指令（第１指令）が可能とされるとよい。つまり、ペアリングスイッチ１１ａが操作されたときには、管理装置９０から給水装置１０へ指令できる内容が制限される。これは、例えば専門家でない一般ユーザーによって給水装置１０が操作され、給水装置１０が誤作動してしまうことを防止する設計である。これにより、特別ユーザーは管理装置９０から給水装置１０へ種々の指令を行うことができると共に、一般ユーザーによって給水装置１０へ意図しない指令がなされることを抑制できる。ただし、通信確立機構としては、このように２つのペアリングスイッチ１１ａ、１１ｂが設けられるものに限定されず、１つまたは３つ以上の通信確立機構が設けられるものとしてもよい。また、給水装置１０は、ひとつのペアリングスイッチへの異なる操作で、第１の通信確立機構と第２の通信確立機構を区別してもよい。具体的には、ペアリングスイッチの長押しやパスワードの入力等の特殊操作にて無線通信９８ａが確立されたときには、ペアリングスイッチ１１ｂへの所定の操作と同様に操作第１指令が可能となり、ペアリングスイッチの押下にて無線通信９８ａが確立されたときには、ペアリングスイッチ１１ａへの所定の操作と同様に第２指令が可能となるとよい。
【００５４】
ここで、特別ユーザー用の指令は、給水装置１０の記憶部６６に記憶される各種情報（運転状態、履歴情報、設定情報等）の表示、ポンプ４４の運転停止指令、警報リセット、履歴のクリア、および、全ての設定変更等を含む管理装置９０の全ての機能が使用でき、一般ユーザー用の指令は、ポンプ４４の運転停止指令、警報リセット、履歴のクリア、および、設定変更が制限され、運転情報や履歴情報の表示できる。これにより、一般ユーザーによって、メンテナンス中に誤って運転指令がなされたり、意図しない給水装置のポンプを停止させ断水となることを防止できる。なお、一般ユーザー用の指令では、設定圧を含む一部の設定変更が許可されてもよい。一般ユーザー用の指令における運転情報は、現在のモータポンプ４０のそれぞれの運転または停止状態、モータポンプ４０の回転速度、モータポンプ４０を駆動するモータに流れる電流値、給水装置１０の入力電圧、モータポンプ４０の吸込圧力、モータポンプ４０の吐出し圧力、および、警報や異常等の運転パネルに常時表示される項目のみでもよい。
【００５５】
以上のように、本実施形態の給水システム１００では、ユーザーによって給水装置１０のペアリングスイッチ１１ａ、１１ｂが操作されることにより給水装置１０から管理装置９０へ通信要請信号が送信され、給水装置１０と管理装置９０との無線通信９８ａが確立される。これにより、複数の給水装置１０のうち所望の給水装置１０と管理装置９０との無線通信９８ａを適正に確立させることができる。また、給水装置１０に対するユーザーの操作をトリガとして給水装置１０と管理装置９０との無線通信９８ａが確立されるので、給水装置１０の状態が目視で確認できる状態で無線通信９８ａを開始することができ、意図しない給水装置１０と管理装置９０とで無線通信９８ａがなされることを防止できる。また、給水装置１０を構成する各機器の少なくとも一部がキャビネットや屋外カバー等の函体３０に収容される給水装置であれば、ペアリングスイッチ１１ａ、１１ｂを当該函体３０内に設けることで外的環境から保護し、且つ、外部から不正アクセスによるペアリングがなされることを防止できる。
【００５６】
なお、給水装置１０と管理装置９０とのペアリングが終了した後の無線通信９８ａは、例えば管理装置９０をマスタ側、給水装置１０をスレーブ側としたマスタ・スレーブ方式にて通信を行うものとしてもよい。一例として、マスタ側は、スレーブ側に問い合わせの通信コマンドを送信し、スレーブ側は通信コマンドの内容に基づき、レスポンスとして正常応答または異常応答を送信する。マスタ側は、異常応答を受信した場合、又は通信コマンドを送信してから所定期間以上経過した場合には、通信エラーが発生したと判断する。
また、スレーブ側は、所定期間以上通信が途切れたと判断したら通信エラーと判断するものとしてもよく、この場合マスタ側は、無線通信９８ａを維持するための通信コマンドを所定期間毎に送信してもよい。
【００５７】
また、給水システム１００は、給水装置１０と管理装置９０とのペアリングによって無線通信９８ａが確立してから、所定期間（例えば、数秒、数分、数時間、数日など）以上が経過したときには、管理装置９０から給水装置１０へ行うことができる指令が制限されるものとしてもよい。換言すれば、ペアリングによって無線通信９８ａが確立されてから所定期間が経過するまでは、無線通信９８ａを通じて管理装置９０から給水装置へ所定の指令（第３指令）を可能とし、無線通信９８ａが確立されてから所定期間が経過した以降は、無線通信９８ａを通じて管理装置９０から給水装置１０へ第３指令よりも制限された指令（第４指令）を可能とする。具体的には、一例として、ペアリングによって給水装置１０と管理装置９０との無線通信９８ａが確立してから、所定期間以内であれば、給水装置１０は全ての管理装置９０からの問い合わせに対して、正常応答を送信する。そして、ペアリングによって給水装置１０と管理装置９０との無線通信９８ａが確立してから、所定期間以上が経過したら、給水装置１０は管理装置９０からの問い合わせに対して、無応答となるかまたは異常応答を送信する。また、一例として、ペアリングによって給水装置１０と管理装置９０との無線通信９８ａが確立してから、所定期間以内であれば、給水装置１０は管理装置９０からの全ての正常な問い合わせに対して、正常応答を送信する。そして、給水装置１０と管理装置９０との無線通信９８ａが確立してから、所定期間以上が経過したら、給水装置１０は管理装置９０からの一部の問い合わせに対して、無応答となるかまたは異常応答を送信する。
【００５８】
本実施形態の給水システム１００では、給水装置１０のペアリングスイッチ１１ａ、１１ｂが操作されることによりペアリングが開始し無線通信９８ａが確立されるため、無線通信９８ａが確立されるときにはユーザーが給水装置１０の傍にいることが想定される。一方、無線通信９８ａが比較的長い距離で維持できる場合、無線通信９８ａが確立された後にユーザーが管理装置９０を携帯して給水装置１０から離れることも想定される。こうした場合には、給水装置１０を実際に視認できない状態で管理装置９０から給水装置１０への指令が行われるため、例えば給水装置１０に不具合が生じた場合にユーザーが即座に対応できないおそれがある。よって、本実施形態では、無線通信９８ａが確立されてから所定期間が経過した以降は、管理装置９０から給水装置１０への指令が制限される。こうした構成により、無線通信９８ａが確立されてから所定期間が経過した以降に、例えば給水装置１０の運転情報の確認などの制限された指令を行うことができると共に、管理装置９０から給水装置１０へ意図しない指令がなされることを防止できる。
【００５９】
また、給水システム１００は、所定期間に代えて、又は加えて、給水装置１０と管理装置９０との距離に基づいて指令が制限されるものとしてもよい。つまり、管理装置９０と給水装置１０との距離が所定距離（例えば数メートル）未満であるときには、無線通信９８ａを通じて管理装置９０から給水装置１０へ所定の指令（第３指令）を可能とし、管理装置９０と給水装置１０との距離が所定距離以上であるときには、無線通信９８ａを通じて管理装置９０から給水装置へ制限された指令（第４指令）を可能としてもよい。具体的には、管理装置９０は問い合わせに対する正常応答を所定の時間間隔内で受信したら管理装置９０と給水装置１０との距離が所定距離（例えば数メートル）未満であると判断するとよい。また、管理装置９０は問い合わせに対する正常応答を所定の時間間隔内で受信できない場合に管理装置９０と給水装置１０との距離が所定距離以上であると判断するとよい。
【００６０】
また、給水システム１００は、給水装置１０と管理装置９０との無線通信９８ａが確立した後の無線通信９８ａが途切れてから、所定期間（例えば、数秒、数分、数時間、数日
など）以上が経過したら管理装置９０から給水装置１０へ行うことができる指令が制限されるものとしてもよい。換言すれば、給水装置１０は、ペアリングが終了して無線通信９８ａが確立されて所定期間内に管理装置９０からの第３指令の問い合わせを受信したら、管理装置９０から給水装置１０へ指令を可能とする。そして、給水装置１０は、管理装置９０からの第３指令問い合わせを受信することなく所定期間が経過したら、第４指令のみを可能とする。
【００６１】
ここで、無線通信９８ａを通じて管理装置９０から給水装置へ制限された指令（第４指令）を可能とするときには、管理装置９０においてコマンド指令をするための操作が制限されるものとしてもよいし、給水装置１０において一部のコマンド指令を受け付けないものとしてもよい。後者の場合、給水装置１０は、管理装置９０へ異常応答をしてもよいし、コマンド指令が制限されていることを示す情報を管理装置９０へ送信してもよい。
【００６２】
ここで、第３指令は、特別ユーザー用の指令、または／および、一般ユーザー用の指令であるとよい。具体的には、ペアリングスイッチ１１ｂが使用されたときの第３指令で、ユーザーは、各種情報の表示、ポンプ４４の運転停止指令、警報リセット、履歴のクリアおよび全ての設定変更等を含む管理装置９０の全ての機能が使用できる。ペアリングスイッチ１１ａが使用されたときの第４指令でユーザーは、ポンプ４４の運転停止指令、警報リセット、および、設定変更が制限され、運転情報や履歴情報の表示、設定圧を含む一部の設定変更のみができる。また、第４指令は、一般ユーザー用の指令における表示項目と同じ項目を表示できる。具体的には、第４指令でユーザーは、給水装置１０の記憶部６６に記憶された履歴情報、運転情報、及び異常情報等を確認できる。
【００６３】
また、給水システム１００は、ペアリングによって無線通信９８ａが確立されてから所定の期間（例えば数分など）が経過したときには、無線通信９８ａの確立をリセットしてもよい。具体的には、無線通信９８ａの確立のリセットは、管理装置９０はＳＡ０３にて記憶した認証情報を記憶部９５から削除し、給水装置１０はＳＷ０５にて記憶した認証情報を記憶部６６から削除する。ここで、所定の通信期間は、上記した指令の制限を切り替える所定期間よりも長い時間とするとよい。このように、通信期間が経過したときには無線通信９８ａの確立をリセットすることにより、管理装置９０から給水装置１０へ意図しない指令がなされることや、確立された無線通信９８ａを利用して給水装置１０へ不正アクセスがされることなどを抑制できる。
【００６４】
なお、給水装置１０は、ペアリングによって無線通信が９８ａ確立されてから所定の期間（例えば数分など）が経過したときに無線通信９８ａの確立をリセットするか否かを、設定変更できるとよい。具体的に、給水装置１０は当該リセットするか否かを設定値情報（第１設定値情報）として記憶部６６に記憶し、外部入力によって設定変更可能とする。例えば、給水装置１０が施錠されたポンプ室等に設置され、且つ、ポンプ室の外の管理者から定期的に第４指令を用いて点検される場合等は、再びペアリングスイッチ１１ａ、１１ｂにてペアリングされるまで無線通信９８ａの確立を維持したい。一方、給水装置１０が道路に面した場所に設置される場合は、不正アクセス防止のため所定の期間が経過したら無線通信９８ａの確立をリセットしたい。よって、設置場所や管理方法等によって、給水装置１０は、無線通信９８ａの確立をリセットするか否かをユーザーが変更できるとよい。
【００６５】
図４は、給水装置１０と管理装置９０とが無線通信９８ａを確立する際の動作の別の一例を示す図である。上記した図３の例ではペアリングのための認証情報を管理装置９０が作成するものとしたが、図４の例では認証情報を給水装置１０が作成する点で図３の例と異なる。以下、図３と重複する内容については説明を省略する。
【００６６】
給水装置１０と管理装置９０との無線通信９８ａを確立する際には、図３の例と同様に、まずユーザーが、給水装置１０に設けられたペアリングスイッチ１１ａ、１１ｂを操作する（ＳＵ１１）。ペアリングスイッチ１１ａ、１１ｂが操作されると、給水装置１０は、ペアリングのための認証情報を作成して自身の記憶部６６に記憶し（ＳＷ１２）、管理装置９０へ通信要請信号と認証情報とを送信する（ＳＷ１３）。
【００６７】
ここで、認証情報は、上記した認証情報としての利用に適するように、種々の方法によって給水装置１０によって定められればよく、例えばペアリングスイッチ１１ａが操作されたときの時刻情報および／または給水装置１０が製造時に付与される一意のシリアル番号に基づいて定められてもよい。複数の給水装置１０において同時刻にペアリングスイッチ１１ａ、１１ｂが操作されることは考えにくい。よって、ペアリングスイッチ１１ａ、１１ｂが操作されたときの時刻情報を含むことで、管理装置９０は複数の給水装置１０を識別することができる。
【００６８】
管理装置９０は、給水装置１０から通信要請信号と認証情報とを受信すると、認証情報を記憶部９５に記憶して（ＳＡ１４）、給水装置１０へ受信通知信号と認証情報とを送信する（ＳＡ１５）。そして、給水装置１０は、管理装置９０から受信通知信号と認証情報とを受信すると、管理装置９０へ受信通知信号を送信し（ＳＷ１６）、これにより給水装置１０と管理装置９０とは互いにペアリングが完了したと判断して無線通信９８ａが確立される。なお、給水装置１０は、管理装置９０から誤った認証情報が受信された場合や、通信要請信号を送信してから所定時間以上管理装置９０から受信通知信号が受信されない場合には、無線通信９８ａを確立することができないと判断して、表示部７２などでエラーを表示してもよい。
【００６９】
こうした図４の例によれば、ペアリングスイッチ１１ａ、１１ｂが操作されたときに給水装置１０が認証情報を作成して管理装置９０へ送信する。こうした例においても、上記した図３の例と同様に、管理装置９０と所望の給水装置１０との無線通信９８ａを確立することができる。また、図４の例では、ペアリングスイッチ１１ａ、１１ｂが操作されると、給水装置１０から通信要請信号と認証情報とが一緒に管理装置９０へ送信されるため、図３の例に比べてペアリングのための給水装置１０と管理装置９０とのやりとりを少なくすることができる。
【００７０】
図５は、給水装置１０と管理装置９０とが無線通信９８ａを確立する際の動作の更に別の一例を示す図である。図５の例では、給水装置１０に予め記憶された情報を認証情報として利用する点で図４の例と異なり、その他の点は図４の例と同一である。
【００７１】
給水装置１０と管理装置９０との無線通信９８ａを確立する際には、まずユーザーが、給水装置１０に設けられたペアリングスイッチ１１ａ、１１ｂを操作する（ＳＵ１１）。ペアリングスイッチ１１ａ、１１ｂが操作されると、給水装置１０は、予め定められて記憶部９５に記憶された認証情報を通信要請信号と共に管理装置９０へ送信する（ＳＷ１３Ａ）。ここで、認証情報は、例えば予め外部入力によって設定できるものとしてもよい。また、認証情報は、給水装置１０の初回起動時または工場出荷時に設定されて装置情報として記憶部９５に記憶されるシリアル情報などが用いられてもよい。
【００７２】
そして、図４の例と同様に、図５で管理装置９０は、給水装置１０から通信要請信号と認証情報とを受信すると、認証情報を記憶部９５に記憶して（ＳＡ１４）、給水装置１０へ受信通知信号と認証情報とを送信する（ＳＡ１５）。給水装置１０は、管理装置９０から受信通知信号と認証情報とを受信すると、管理装置９０へ受信通知信号を送信し（ＳＷ１６）、これにより給水装置１０と管理装置９０とは互いにペアリングが完了したと判断して無線通信９８ａが確立される。
【００７３】
こうした図５の例においても、上記した図３及び図４の例と同様に、管理装置９０と所望の給水装置１０との無線通信９８ａを確立することができる。また、図５の例では、ペアリングスイッチ１１ａ、１１ｂが操作されると、給水装置１０から通信要請信号と認証情報とが一緒に管理装置９０へ送信されるため、図３の例に比べてペアリングのための給水装置１０と管理装置９０とのやりとりを少なくすることができる。さらに、図５の例では、給水装置１０に予め記憶された情報を認証情報として利用するため、図４におけるＳＷ１２の処理を省略することができ、迅速に無線通信９８ａを確立することができる。
【００７４】
なお、図３の例と同様に、給水システム１００は、ペアリングによって無線通信９８ａが確立されてから所定の期間（例えば数分など）が経過したときには、無線通信９８ａの確立をリセットしてもよい。具体的には、無線通信９８ａの確立のリセットは、管理装置９０はＳＡ１４にて記憶した認証情報を記憶部９５から削除する。
【００７５】
このように、ポンプ装置の一例である給水装置１０は、複数のポンプ装置Ａ，Ｂ，Ｃのそれぞれと無線通信９８ａできるように構成された管理装置９０と通信する通信部と、管理装置９０との無線通信９８ａを確立するための通信確立機構であるペアリングスイッチ１１ａおよび／または１１ｂと、を備え、当該通信確立機構に対する所定の操作をトリガにして、無線通信９８ａを確立するためのペアリングが開始される。これにより、ポンプ装置１０は、管理装置９０との無線通信９８ａを適正に行うことができる。つまり、管理装置９０が意図しない給水装置１０と無線通信９８ａを行うことを防止できる。
【００７６】
（変形例１）
図６は、変形例の給水システム２００の構成の一例を示す図である。変形例の給水システム２００は、実施形態の給水システム１００と同様に、複数の給水装置１０と、これら複数の給水装置１０のそれぞれとＮ対１の無線通信９８ａ（Ｎは、複数の給水装置１０の台数）できるように構成された管理装置９０とを備える。変形例の給水システム２００は、複数の給水装置１０が通信確立機構として無線通信９８ａよりも近距離を対象とした近距離無線通信部１１ｃを備え、管理装置９０が近距離無線通信９８ｃを介して近距離無線通信部１１ｃへの所定の操作にてペアリングを開始する点で、実施形態の給水システム１００と異なる。具体的に、給水装置１０の外部通信部７３は、通信確立機構として無線通信９８ａよりも近距離を対象とした近距離無線通信部１１ｃ（第１の近距離無線通信部）を備え、当該第１の近距離無線通信部は管理装置９０と近距離無線通信９８ｂにて通信できる。そして、変形例の給水システム２００では、管理装置９０が、複数の給水装置１０Ａ，Ｂ，Ｃのそれぞれと無線通信９８ａすることができると共に（図６中、符号９８ａ参照）、複数の給水装置１０のそれぞれと近距離無線通信９８ｂすることができる（図６中符号９８ｂ）。変形例の給水システム２００は、その他の点については上記した実施形態の給水システム１００と同様であり、重複する説明を省略する。なお、近距離無線通信９８ｂは、無線通信９８ａよりも近距離を対象とし、給水装置１０が視認できる機側でのみ通信できる任意の無線通信であればよく、例えばＮＦＣ（Near  Field  Communication）の技術を利用することができる。ＮＦＣは、給水装置１０と管理装置９０とを数センチ〜数ミリまで近づけるだけで通信することができる点で有利である。
【００７７】
図７は、変形例１の給水装置１０と管理装置９０とが無線通信９８ａを確立する際の動作の一例を示す図である。なお、図７では、図３と同一の処理について図４と同一の符号を付し、図３の処理と対応する処理について末尾に「Ａ」を付して示している。
【００７８】
変形例１において給水装置１０と管理装置９０との無線通信９８ａを確立する際には、まずユーザーが管理装置９０にペアリング開始の指令を操作入力し、給水装置１０の近距離無線通信部１１ｃに対して当該ペアリング開始の指令が操作入力された管理装置９０を
近づけて給水装置１０と管理装置９０との近距離無線通信９８ｂを行う（ＳＵ０１Ａ）。ここで、上記したように、近距離無線通信部１１ｃがＮＦＣに使用される場合、給水装置１０と管理装置９０とを近づけるだけで近距離無線通信９８ｂを確立できる点で有利である。また、近距離無線通信部１１ｃが他の近距離無線通信方法に使用される場合、近距離無線通信９８ｂを確立させるために適切な種々の操作がなされればよい。近距離無線通信９８ｂをトリガとして無線通信９８ａを確立するためのペアリングが開始される。具体的には、給水装置１０は、近距離無線通信９８ｂを介して管理装置９０へ通信要請信号を送信する（ＳＷ０２Ａ）。これにより、ポンプ装置１０が建物と建物の間等で通信確立機構である近距離無線通信部１１ｃが視認し難い場所に設置されていても、ユーザーはペアリング開始の指令を手元で入力できるので、容易にペアリングを開始することができる。
【００７９】
管理装置９０は、通信要請信号を受信すると、ペアリングのための認証情報を作成して自身の記憶部９５に認証情報を記憶し（ＳＡ０３）、近距離無線通信９８ｂを通じて認証情報を給水装置１０へ送信する（ＳＡ０４Ａ）。なお、図７の例では、管理装置９０が認証情報を作成するものとしたが、図４の例のように給水装置１０が認証情報を作成してもよいし、図５の例のように給水装置１０に予め記憶された認証情報が使用されてもよい。
【００８０】
給水装置１０は、管理装置９０から認証情報を受信すると、受信した認証情報を記憶部６６に記憶する（ＳＷ０５）。そして、給水装置１０は、受信した認証情報を記憶すると、近距離無線通信９８ｂを通じて管理装置９０へ受信通知信号（アクノリッジ信号）と認証情報とを送信する（ＳＷ０６Ａ）。
【００８１】
管理装置９０は、給水装置１０から受信通知信号と認証情報とを受信すると、近距離無線通信９８ｂを通じて給水装置１０へ認証通知信号を送信し（ＳＡ０７）、これにより給水装置１０および管理装置９０とは互いにペアリングが完了したと判断して無線通信が確立される。そして、近距離無線通信９８ｂを通じてやりとりされた認証情報に基づいて、以降の給水装置１０と管理装置９０との無線通信９８ａが行われるとよい。
【００８２】
なお、図７の例では、近距離無線通信９８ｂを通じて、無線通信９８ａを確立するための情報のやりとりが行われるものとした。しかし、こうした例に限定されず、図７の例における少なくとも一部の通信は、無線通信９８ａを通じて行われるものとしてもよい。また、給水装置１０が備える通信確立機構は管理装置９０との有線通信（例えば、ＲＳ４８５やＲＳ２３２Ｃ等）でもよい。この場合も、給水装置１０の通信確立機構である有線通信にて管理装置９０からペアリングの開始を指令される。そして、図７の例におけるペアリングの少なくとも一部の通信は、無線通信９８ａを通じて行われるものとしてもよい。
【００８３】
（変形例２）
図８は、変形例の給水システム３００の構成の一例を示す図である。変形例の給水システム３００は、複数の給水装置１０と、これら複数の給水装置１０のそれぞれと無線通信９８ａできるように構成された管理装置９０と、給水装置１０の通信確立機構と通信可能な通信機能を備える外部端末８０を備える。変形例の給水システム３００は、複数の給水装置１０が通信確立機構として無線通信９８ａよりも近距離を対象とした近距離無線通信部１１ｃを備え、外部端末８０から近距離無線通信部１１ｃへの通信９８ｃを介した所定の操作にてペアリングを開始する点で、前述の実施形態ならびに変形例と異なる。具体的に、給水装置１０の外部通信部７３は、通信確立機構として無線通信９８ａよりも近距離を対象とした近距離無線通信部１１ｃ（第２の近距離無線通信部）を備え、当該第２の近距離無線通信部が外部端末８０と通信することでペアリングを開始する。
【００８４】
なお、図７で給水システム２００は、近距離無線通信９８ｂを通じて、無線通信９８ａを確立するための情報のやりとりが行われるものとしたが、図８の変形例で外部端末８０
からの通信確立機構に対する所定の操作によって開始されたペアリングは無線通信９８ａを通じて行われるものとする。また、給水装置１０が備える通信確立機構は外部端末８０との有線通信（例えば、ＲＳ４８５やＲＳ２３２Ｃ等）でもよい。この場合も、給水装置１０の通信確立機構である有線通信にて外部端末８０からペアリングの開始を指令される。そして、ペアリングの通信は、無線通信９８ａを通じて行われる。
【００８５】
なお、図６又は図８において、近距離無線通信９８ｂ, ９８ｃにてペアリングを開始するときにユーザーは、給水装置１０の機側にて通信確立機構に対する所定の操作を行う。また、有線通信にてペアリングを開始するときにユーザーは、給水装置１０にコネクタに通信線を取り付けるなどの手順が必要で且つ通信線の届く範囲の機側にて通信確立機構に対する所定の操作を行う。ペアリングの開始を給水装置１０の機側にて行うことで、管理装置９０からの指令によってメンテナンス中に誤って運転指令がなされたり、意図しない給水装置のポンプを停止させ断水となることを防止できる。
【００８６】
以上説明した変形例１の給水システム２００によれば、管理装置９０を給水装置１０の近距離無線通信部１１ｃに近づける近距離無線通信９８ｂをトリガとして給水装置１０と管理装置９０との無線通信９８ａが確立される。また、変形例２の給水システム３００によれば、外部端末８０を給水装置１０の近距離無線通信部１１ｃに近づける近距離無線通信９８ｃをトリガとして給水装置１０と管理装置９０との無線通信９８ａが確立される。なお、変形例１の第１の近距離無線通信部と変形例２の第２の近距離無線通信部は、同一のハードウェア、通信プロトコル等によって構成されてもよいし、別々のハードウェア、通信プロトコルによって構成されてもよい。こうした変形例の給水システム１００においても、複数の給水装置１０のうち所望の給水装置１０と管理装置９０との無線通信９８ａを適正に確立させることができる。
【００８７】
（変形例３）
図９は、変形例の給水システム４００の構成の一例を示す図である。変形例３の給水システム４００の給水装置１０は、バーコード１１ｄ（例えば、ＱＲコード（登録商標）等の２次元バーコード）を有する。具体的には、バーコード１１ｄが印刷されたシール等が給水装置１０の部品に貼られる、または、バーコード１１ｄが給水装置１０の部品に直接印刷されてもよい。また、管理装置９０はバーコード１１ｄの読込手段（例えば、カメラ、バーコードリーダ等）を有する。
【００８８】
なお、給水装置１０において、バーコード１１ｄが函体３０内に収容された部品に貼られることで外的環境から保護できる。その場合、函体３０は、外部からバーコード１１ｄを読み取り可能な透明な窓部３０ａが設けられるとよい。
【００８９】
本変形例において、給水装置１０のバーコード１１ｄは通信確立機構であって、操作者が管理装置９０による当該バーコード１１ｄの読込み操作９８ｄをトリガとして、給水装置１０と管理装置９０との無線通信９８ａのペアリングを開始する。バーコード１１ｄには、給水装置１０を一意に識別可能な認証情報が格納されており、例えば、無線通信９８ａがＢｌｕｅｔｏｏｔｈ（登録商標）およびＷｉ−Ｆｉ（登録商標）であれば、ＳＳＩＤやパスワード等の認証情報が格納されるとよい。
【００９０】
本変形例での無線通信９８ａを確立する際の動作は、図７に示されるＳＷ０２Ａが省略され、更に、ＳＡ０３にてペアリングのための認証情報作成に代えてバーコード１１ｄより読込んだ認証情報にてペアリングが開始され、その後、ＳＡ０４Ａ以降の処理を実行すればペアリングが完了する。この場合も、ポンプ装置１０に貼られたバーコード１１ｄ（通信確立機構）への操作によって、複数のポンプ装置１０Ａ，１０Ｂ、１０Ｃのそれぞれと無線通信９８ａができるように構成された管理装置９０に対して無線通信９８ａを適正
に行うことができる。
【００９１】
なお、バーコード１１ｄは、第１の通信確立機構と第２の通信確立機構に相当してもよい。具体的には、バーコード１１ｄを複数有し、第１の通信確立機構に相当するバーコード１１ｄと第２の通信確立機構に相当するバーコード１１ｄを備えてもよい。また、ひとつのバーコード１１ｄに、第１の通信確立機構に相当する情報と第２の通信確立機構に相当する情報が格納されてもよい。
【００９２】
給水装置１０は、上述した実施例並びに変形例による通信確立機構（ペアリングスイッチ１１ａ、１１ｂ、有線通信、第１の近距離無線通信部、第２の近距離無線通信部等、および／または、バーコード１１ｄ）のうちの何れか複数を有し、これら複数の通信確立機構のうちの何れかひとつへの所定の操作をトリガとして、給水装置１０と管理装置９０とのペアリングが開始されてもよい。
【００９３】
さらに、上述した実施例並びに変形例で、函体３０に設けられた窓部３０ａは、函体３０を取り外すことなく通信確立機構にアクセス可能な構造とするとよい。具体的には、通信確立機構がペアリングスイッチ１１ａ、１１ｂの場合、窓部３０ａを開閉にてペアリングスイッチ１１ａ、１１ｂを操作できるとよい。通信確立機構が近距離無線通信の場合、窓部３０ａを通信信号が透過できる樹脂等で構成するとよい。また、通信確立機構がバーコード１１ｄの場合、函体３０は、外部からバーコード１１ｄを読み取り可能な透明な窓部３０ａを設けるとよい。このように、函体３０によって通信確立機構を外的環境から保護すると同時に窓部３０ａによって、函体３０を取り外すことなくペアリングを開始することができる。また、第１の通信確立機構は窓部３０ａを介してアクセス不可とし、機能制限される第２の通信確立機構のみ窓部３０ａを介してアクセス可能とすることで、外部からの不正アクセスによる給水装置１０の誤動作等を防止できる。
【００９４】
本発明は、以下の形態としても記載することができる。
［形態１］形態１によれば、ポンプにて建物に給水するためのポンプ装置が提案され、前記ポンプ装置は、複数のポンプ装置のそれぞれと無線通信できるように構成された管理装置と通信する通信部と、前記管理装置との前記無線通信を確立するための通信確立機構と、を備え、前記通信確立機構に対する所定の操作をトリガにして、前記無線通信を確立するためのペアリングが開始される。形態１によれば、ポンプ装置は、通信確立機構の操作によって、複数のポンプ装置のそれぞれと無線通信できるように構成された管理装置に対して無線通信を適正に行うことができる。
【００９５】
［形態２］形態２によれば、形態１のポンプ装置において、前記通信確立機構は、前記ポンプ装置を構成する構成要素の少なくとも一部が収容される函体内に配置される。形態２によれば、外部から不正アクセスによる無線通信がなされることを防止できる。
【００９６】
［形態３］形態３によれば、形態１または２のポンプ装置において、前記通信確立機構はスイッチであり、前記所定の操作は、ユーザーによる前記スイッチの操作である。形態３によれば、機側にいるユーザーがポンプ装置のスイッチを操作することにより、ポンプ装置と管理装置とを正しくペアリングすることができる。
【００９７】
［形態４］形態４によれば、形態１から３のポンプ装置において、前記ポンプ装置は、前記管理装置と前記無線通信よりも近距離の通信を対象とした近距離無線通信を行う第１の近距離無線通信部を備え、前記通信確立機構は、前記第１の近距離無線通信部であり、前記所定の操作は、ユーザーが前記管理装置を前記通信確立機構に近づけて前記第１の近距離無線通信を確立させる操作である。形態４によれば、ユーザーが管理装置を通信確立機構に近づけて近距離無線通信を確立させることにより、ポンプ装置と管理装置との無線通
信を確立させることができる。これにより、ポンプ装置が建物と建物の間等の通信確立機構が視認し難い場所に設置されていても、容易にペアリングを開始することができる。
【００９８】
［形態５］形態５によれば、形態４のポンプ装置において、前記第１の近距離無線通信部を通じて前記ペアリングのための信号を前記管理装置と通信する。形態５によれば、近距離無線通信を通じてポンプ装置と管理装置との無線通信を確立するための信号のやりとりを行うことができる。
【００９９】
［形態６］形態６によれば、形態１から５のポンプ装置において、前記ポンプ装置は、外部端末と前記無線通信よりも近距離の通信を対象とした第２の近距離無線通信を行う近距離無線通信部を備え、前記通信確立機構は、前記第２の近距離無線通信部であり、前記所定の操作は、ユーザーが前記外部端末を前記通信確立機構に近づけて前記第２の近距離無線通信を確立させる操作である。形態６によれば、ユーザーが外部端末を通信確立機構に近づけて近距離無線通信を確立させることにより、ポンプ装置と管理装置との無線通信を確立させることができる。
【０１００】
［形態７］形態７によれば、形態１から６のポンプ装置において、前記通信確立機構は、第１の通信確立機構と、第２の通信確立機構と、を含み、前記第１の通信確立機構を使用して前記無線通信が確立されたときには、前記無線通信を通じて前記管理装置から前記ポンプ装置に第１指令が可能となり、前記第２の通信確立機構を使用して前記無線通信が確立されたときには、前記無線通信を通じて前記管理装置から前記ポンプ装置へ前記第１指令よりも制限された第２指令が可能となる。形態７によれば、例えばメンテナンス員等の権限のあるユーザーは、第１通信確立機構を操作してポンプ装置と管理装置との無線通信を確立させ、管理装置からポンプ装置へ第１指令を行うことができる。また、例えばポンプ装置が設けられた建物の住居人等の制限された権限のユーザーは、第２通信確立機構を操作してポンプ装置と管理装置との無線通信を確立させ、管理装置からポンプ装置へ第１指令よりも制限された第２指令を行うことができる。これにより、権限のあるユーザーはポンプ装置へ種々の指令を行うことができると共に、制限された権限のユーザーによってポンプ装置へ意図しない指令がなされることを防止できる。
【０１０１】
［形態８］形態８によれば、形態７のポンプ装置において、前記第１指令は、前記ポンプの設定値情報の設定変更、前記ポンプの運転停止指令、及び警報リセットを含む指令であり、前記第２指令は、前記ポンプの設定値情報の設定変更、前記ポンプの運転停止指令、及び警報リセットの少なくとも１つが制限された指令である。形態８によれば、制限された権限のユーザーによって、例えばメンテナンス中に誤って運転指令がなされたり、意図しないポンプ装置のポンプを停止させ断水となることを防止できる。
【０１０２】
［形態９］形態９によれば、形態１から８のポンプ装置において、前記無線通信が確立されてから所定期間が経過するまでは、前記無線通信を通じて前記管理装置から前記ポンプ装置へ第３指令が可能であり、前記無線通信が確立されてから所定期間が経過した以降は、前記無線通信を通じて前記管理装置から前記ポンプ装置へ前記第３指令よりも制限された第４指令が可能である。形態９によれば、無線通信が確立されてから所定期間が経過した以降に、管理装置からポンプ装置へ、制限された指令を行うことができる。これにより、管理装置からポンプ装置へ意図しない指令がなされてしまうことを防止できる。
【０１０３】
［形態１０］形態１０によれば、形態１から９のポンプ装置において、前記管理装置と前記ポンプ装置との距離が所定距離未満であるときには、前記無線通信を通じて前記管理装置から前記ポンプ装置へ第３指令が可能であり、前記管理装置と前記ポンプ装置との距離が前記所定距離以上であるときには、前記無線通信を通じて前記管理装置から前記ポンプ装置へ前記第３指令よりも制限された第４指令が可能である。形態１０によれば、管理装
置とポンプ装置との距離が所定距離以上であるときには管理装置からポンプ装置へ、制限された指令を行うことができる。これにより、ユーザーがポンプ装置から離れた状態で、管理装置からポンプ装置へ意図しない指令がなされてしまうことを防止できる。
【０１０４】
［形態１１］形態１１によれば、形態１０のポンプ装置において、前記第３指令は、前記ポンプの設定値情報の設定変更、前記ポンプの運転停止指令、及び警報リセットを含む指令であるか、又は前記ポンプの設定値情報の設定変更、前記ポンプの運転停止指令、及び警報リセットの少なくとも１つが制限された指令であり、前記第４指令は、前記ポンプの設定値情報の設定変更、前記ポンプの運転停止指令、及び警報リセットの少なくとも１つが制限された指令である。形態１１によれば、ユーザーがポンプ装置から離れた状態で、ポンプの設定値情報の設定変更、ポンプの運転停止指令、又は警報リセットがなされてしまうことを防止できる。
【０１０５】
［形態１２］形態１２によれば、形態１から１１のポンプ装置において、前記無線通信が確立されてから所定の通信期間が経過したときには前記無線通信の確立をリセットする。形態１２によれば、ユーザーによって管理装置からポンプ装置へ意図しない指令がなされてしまうことを抑制できる。
【０１０６】
［形態１３］形態１３によれば、形態１から１１のポンプ装置において、前記ポンプ装置は、外部入力によって設定変更できる第１設定値情報を有し、前記無線通信が確立されてから所定の期間が経過したときに前記無線通信の確立をリセットするか否かを前記第１設定値情報に基づいて判断する。形態１３によれば、無線通信が確立されてから所定の機関が経過したときに無線通信の確立をリセットするか否かをユーザーが設定することができる。
【０１０７】
［形態１４］形態１４によれば、形態１から１３のポンプ装置において、前記ポンプ装置は、ユーザーによって前記通信確立機構に対する前記所定の操作がなされたときに、前記管理装置へ前記ペアリングのための通信要請信号を送信することを特徴とする。前記所定の操作がなされた給水装置が管理装置へ通信要請信号を送信してペアリングが開始されれば、例えば、ペアリングが重なった場合に管理装置は、正しい認証情報を作成し対象の給水装置へと送信できる。
【０１０８】
［形態１５］形態１５によれば、形態１４のポンプ装置において、前記通信要請信号を受信した前記管理装置から送信される認証情報を受信すると、前記認証情報を記憶すると共に前記認証情報を前記管理装置へ送信し、無線通信を確立する。形態１５によれば、ポンプ装置が管理装置から認証情報を受信し、当該認証情報をポンプ装置から管理装置へと送信することにより、互いに共通の認証情報を記憶して無線通信を確立することができる。
【０１０９】
［形態１６］形態１６によれば、形態１４のポンプ装置において、前記通信要請信号は、前記ポンプ装置に記憶された認証情報を含み、前記ポンプ装置は、前記通信要請信号を受信した前記管理装置から送信された前記認証情報を受信したことを示す信号を前記管理装置へ送信する。形態１６によれば、ポンプ装置に記憶された認証情報をポンプ装置から管理装置へと送信し、管理装置から当該認証情報を受信したことを示す信号を受信することにより、互いを認証して無線通信を確立することができる。
【０１１０】
［形態１７］形態１７によれば、形態１６のポンプ装置において、前記認証情報は、前記ポンプ装置が前記通信要請信号を送信する際に作成されて前記ポンプ装置に記憶される情報である。形態１７によれば、ポンプ装置が認証情報を作成するため、複数のポンプ装置において認証情報が重複してしまうことを抑制できる。
【０１１１】
［形態１８］形態１８によれば、形態１７のポンプ装置において、前記認証情報は、前記通信確立機構に対する前記所定の操作がなされたときの時刻情報に基づいて作成される。形態１８によれば、複数のポンプ装置において認証情報が重複してしまうことを抑制できる。
【０１１２】
［形態１９］形態１９によれば、形態１７のポンプ装置において、前記認証情報は、予め定められて前記ポンプ装置に記憶される情報である。
【０１１３】
［形態２０］形態２０によれば、形態１９のポンプ装置において、前記認証情報は、前記ポンプ装置の製造時に付与される一意のシリアル番号に基づいて定められる情報である。形態２０によれば、複数のポンプ装置において認証情報が重複してしまうことを抑制できる。
【０１１４】
［形態２１］形態２１によれば、形態１５から２０のポンプ装置において、前記ポンプ装置は、前記認証情報を表示する表示部を有する。形態２１によれば、ユーザーが認証情報を確認することができる。
【０１１５】
［形態２２］形態２２によれば、形態１から２１のポンプ装置において、前記通信確立機構はバーコードであり、前記所定の操作は、前記管理装置での前記バーコードの読取り操作である。
【０１１６】
［形態２３］形態２３によれば、形態２２のポンプ装置において、前記通信確立機構は、前記ポンプ装置を構成する構成要素の少なくとも一部が収容される函体内に配置され、前記函体には外部から前記バーコードを読み取り可能な透明の窓部が設けられる。形態２３によれば、函体によって通信確立機構を外的環境から保護すると同時に、函体を取り外すことなく窓部を介してペアリングを開始することができる。
【０１１７】
［形態２４］形態２４によれば、形態７のポンプ装置において、前記通信確立機構は、前記ポンプ装置を構成する構成要素の少なくとも一部が収容される函体内に配置されるとともに前記函体は窓部が設けられ、前記第１の通信確立機構は前記窓部を介してアクセス不可とし、前記第２の通信確立機構のみ前記窓部を介してアクセス可能とする。形態２４によれば、函体によって通信確立機構を外的環境から保護することができ、第２の通信確立機構によって函体を取り外すことなく窓部を介してペアリングを開始することができる。また、第１の通信確立機構は窓部を介してアクセス不可に構成されているため、外部からの不正アクセスによるポンプ装置の誤動作等を防止できる。
【０１１８】
［形態２５］形態２５によれば、形態１から２４のポンプ装置と、複数のポンプ装置のそれぞれと無線通信できるように構成された管理装置と、を備えるポンプシステムが提案される。形態２５によれば、上記したポンプ装置と同様の効果を奏することができる。
【０１１９】
［形態２６］形態２６によれば、ポンプにて建物に給水するためのポンプ装置における無線通信方法であって、前記ポンプ装置は、複数のポンプ装置のそれぞれと無線通信できるように構成された管理装置と通信する通信部と、前記管理装置との前記無線通信を確立するための通信確立機構と、を備え、前記無線通信方法は、前記通信確立機構に対する所定の操作をトリガにして、前記無線通信を確立するためのペアリングが開始されることを特徴とする。形態２６によれば、上記したポンプ装置またはポンプシステムと同様の効果を奏することができる。
【０１２０】
以上、本発明の実施の形態について説明してきたが、上記した発明の実施の形態は、本発明の理解を容易にするためのものであり、本発明を限定するものではない。本発明は、
その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【０１２１】
１０…ポンプ装置
１１ａ、１１ｂ…ペアリングスイッチ
１１ｃ…近距離通信部
４０…モータポンプ
４２…モータ（電動機）
４４…ポンプ
５０…インバータ装置
６０…制御部
６６…記憶部
６７…演算部
６８…Ｉ／Ｏ部
７０…運転パネル
７１…設定部
７２…表示部
７３…外部通信部
９０…管理装置
９２…演算部
９３…操作表示部（表示部）
９４…通信部
９５…記憶部
９８ａ…第１通信（無線通信）
９８ｂ…第２通信（近距離無線通信）
【図１】
2020070786.tif 000003
【図２】
2020070786.tif 000004
【図３】
2020070786.tif 000005
【図４】
2020070786.tif 000006
【図５】
2020070786.tif 000007
【図６】
2020070786.tif 000008
【図７】
2020070786.tif 000009
【図８】
2020070786.tif 000010
【図９】
2020070786.tif 000011